(57)【要約】【課題】  胴回りをあまり圧迫することなく下衣のずれを防ぐことができる下衣のボタン留め具を提供する。【解決手段】  下衣のボタン留め具は、フロントボタンおよびベルトループを有する下衣に用いる下衣のボタン留め具であって、柔軟性または可撓性を有する薄厚の基部と、基部の一方の面に設けられ、ベルトループに掛けられる掛け部と、基部に設けられ、フロントボタンが掛けられるボタン孔と、を備えている。【選択図】      図１
2018053388.tif 000002
【特許請求の範囲】
【請求項１】
フロントボタンおよびベルトループを有する下衣に用いる下衣のボタン留め具であって、
柔軟性または可撓性を有する薄厚の基部と、
前記基部の一方の面に設けられ、前記ベルトループに掛けられる掛け部と、
前記基部に設けられ、前記フロントボタンが掛けられるボタン孔と、
を備えることを特徴とする下衣のボタン留め具。
【請求項２】
前記基部の前記ボタン孔の周りに、他の部分より厚さが薄い薄厚部を備えることを特徴とする請求項１記載の下衣のボタン留め具。
【発明の詳細な説明】
【技術分野】
【０００１】
本発明は、下衣のずれを防ぐ下衣のボタン留め具に関する。
【背景技術】
【０００２】
ジーンズなどの下衣を身に着ける際には、下衣のずれを防ぐため、通常ベルトが用いられる（例えば特許文献１参照）。
しかしながら、ベルトは腹部や腰部などの胴回りを全体的に圧迫するため、着用者が不快を感じたり、胴回りに圧迫痕がついたりすることがある。
【先行技術文献】
【特許文献】
【０００３】
【特許文献１】特開２０１１−１６２９００号
【発明の概要】
【発明が解決しようとする課題】
【０００４】
胴回りをあまり圧迫することなく下衣のずれを防ぐことができる下衣のボタン留め具を提供することを目的とする。
【課題を解決するための手段】
【０００５】
下衣のボタン留め具は、フロントボタンおよびベルトループを有する下衣に用いる下衣のボタン留め具であって、柔軟性または可撓性を有する薄厚の基部と、基部の一方の面に設けられ、ベルトループに掛けられる掛け部と、基部に設けられ、フロントボタンが掛けられるボタン孔と、を備えている。
【０００６】
下衣のボタン留め具は、基部のボタン孔の周りに、他の部分より厚さが薄い薄厚部を備えるものであってもよい。
【発明の効果】
【０００７】
下衣のボタン留め具は、腹部や腰部を圧迫することなく、下衣を身体に固定することができる。また、下衣のボタン留め具は、掛け部を一のベルトループに掛け、ボタン孔にフロントボタンを留めるだけで装着できるので、ベルトに比べ、装着に手間がかからず、短時間で装着することができる。また、下衣のボタン留め具は、従来にない構成であるため、見た目に面白く、意匠的にも優れている。
【図面の簡単な説明】
【０００８】
【図１】本発明の実施形態の下衣のボタン留め具を示す正面図である。
【図２】本発明の実施形態の下衣のボタン留め具を示す背面図である。
【図３】本発明の実施形態の下衣のボタン留め具を示す平面図である。
【図４】本発明の実施形態の下衣のボタン留め具を示す左側面図である。
【図５】本発明の実施形態の下衣のボタン留め具を示す右側面図である。
【図６】図１のＶＩ−ＶＩ線断面図である。
【図７】本発明の実施形態の下衣のボタン留め具を下衣に着用した状態を示す図である。
【発明を実施するための形態】
【０００９】
以下、実施形態の下衣のボタン留め具について説明する。図１ないし図６は、実施形態の下衣のボタン留め具を示す。
下衣のボタン留め具は、基部１０と、掛け部２０と、ボタン孔３０と、薄厚部４０と、を備えている。
【００１０】
基部１０は、薄厚のものであって、柔軟性または可撓性を有している。本実施形態において、基部１０は、帯状であって、その長手方向の一端（左側）が円弧状になっている。基部１０の素材としては、例えば、天然もしくは人工皮革、植物、動物もしくは化学繊維からなる布または合成樹脂を用いることができる。
【００１１】
掛け部２０は、略台形状で薄厚のものであり、基部１０の正面（一方の面）の他端側（右側）で基部１０に重なっており、その基端が基部１０に連結している。掛け部２０は、基部１０と同じく柔軟性を有する素材で形成されている。掛け部２０の素材としては、例えば、天然もしくは人工皮革、植物、動物もしくは化学繊維からなる布または合成樹脂を用いることができる。掛け部２０は、図３の点線が示すように、その基端から先端（左側）にかけて、基部１０に対し離間（開閉）可能となっており、基部１０との間にベルトループ８４を掛けることができるようになっている。
【００１２】
基部１０と掛け部２０は、一体的に形成してもよいし、別々に形成して連結してもよい。例えば、掛け部２０は、基部１０を折り返して一体的に形成することもできる。掛け部２０は、基部１０との間にベルトループ８４を掛けたり差し込んだりできるものであれば、どのような形状であってもよいし、どのような素材を用いてもよい。
【００１３】
ボタン孔３０は、下衣８０のフロントボタン８２を留めるためのものであり、基部１０の前後（表裏）を貫通して形成されている。ボタン孔３０は、掛け部２０から、基部１０の長手方向に離れた位置、言い換えればベルトループ８４に掛け部２０が掛けられる方向に離れた位置に形成されている。
【００１４】
薄厚部４０は、図２および図６に示すように、基部１０の背面（他方の面）のボタン孔３０周辺において他の部分より厚さが薄くなる部分である。薄厚部４０は、下衣８０のフロントボタン８２の面より広い範囲に設けることが好ましい。薄厚部４０が設けられる部分は、基部１０の背面以外でもよく、基部１０の正面であってもよいし、基部１０の正面および背面の両方であってもよい。
【００１５】
上記下衣のボタン留め具は、図７に示すように、下衣８０のベルトループ８４に基部１０を通して、掛け部２０をベルトループ８４に掛け、ボタン孔３０に下衣８０のフロントボタン８２を留めることにより下衣８０に着用される。
【００１６】
上記下衣のボタン留め具は、腹部や腰部を圧迫することなく、下衣８０を身体に固定することができる。また、下衣のボタン留め具は、掛け部２０を一のベルトループ８４に掛け、ボタン孔３０にフロントボタン８２を留めるだけで装着できるので、ベルトに比べ、装着に手間がかからず、短時間で装着することができる。また、下衣のボタン留め具は、従来にない構成により、見た目に面白く、意匠的にも優れている。
【００１７】
また、上記下衣のボタン留め具は、薄厚部４０を備えると、下衣８０のフロントボタン８２がボタン孔３０に留め易くなり、また装着した際の腹部への圧迫が低減する。
【００１８】
本発明の下衣のボタン留め具は、上記実施形態に特に限定されるものではなく、本発明の要旨の範囲内において適宜変更することができる。
【符号の説明】
【００１９】
１０    基部
２０    掛け部
３０    ボタン孔
４０    薄厚部
８０    下衣
８２    フロントボタン
８４    ベルトループ
【図１】
2018053388.tif 000003
【図２】
2018053388.tif 000004
【図３】
2018053388.tif 000005
【図４】
2018053388.tif 000006
【図５】
2018053388.tif 000007
【図６】
2018053388.tif 000008
【図７】
2018053388.tif 000009